(57)【要約】【課題】ステープル等を使用せずに、段ボール紙のみから成る梱包を可能とする。【解決手段】上面壁に２つの切り起こし１１ａ，１１ｂを形成した内側梱包部材２に緩衝材で装着した電化製品を収容し、これを更にそれぞれ第１スリット９ａ，９ｂ及び第２スリット１０ａ，１０ｂを形成した外側梱包部材３に収容する。切り起こし１１ａ，１１ｂを起こし、第１スリット９ａ，９ｂから外方に引き出した後、第２スリット１０ａ，１０ｂから内部に挿入して、緩衝材と上面壁１５との間に挟み込むことにより、内側梱包部材２と外側梱包部材３との摺動を防止する係止手段を構成する。【選択図】  図６
2004338757.tif 000002
【特許請求の範囲】
【請求項１】
４つの壁面から構成され、向かい合う２つの開口面を有する筒状の第１梱包部材及び第２梱包部材とを具備し、
前記第１梱包部材は、その内方に被梱包物を収容し、前記第２梱包部材は、その開口面を前記第１梱包部材の開口面に対し直角方向に向けた状態で前記第１梱包部材を前記第２梱包部材の内方に収容することにより被梱包物を内包可能に構成され、
前記第１梱包部材又は前記第２梱包部材の少なくとも一方に、互いに摺動することを防止する係止手段を備えたことを特徴とする梱包箱。
【請求項２】
係止手段は、第１梱包部材に少なくとも１つ以上の切り起こし若しくはスリットを形成し、第２梱包部材には前記切り起こし若しくは前記スリットに対応する位置にスリット若しくは切り起こしを形成して、これら切り起こしをスリットに差し込む構成としたことを特徴とする請求項１記載の梱包箱。
【請求項３】
係止手段は、第１梱包部材に形成した１つの切り起こしと、第２梱包部材の前記切り起こしに対応する位置に形成した第１スリット及び第２スリットの２つのスリットとから構成され、
前記切り起こしは、前記第１スリットから外方に引き出された後、前記第２スリットから内部に挿入される構成としたことを特徴とする請求項１記載の梱包箱。
【請求項４】
係止手段は、第１梱包部材に形成した切り起こしと、第２梱包部材の前記切り起こしに対応する位置に形成したスリットとから構成され、
前記切り起こしは、前記第１梱包部材外方に折り曲げた１つの折り目と、前記第１梱包部材内方に折り曲げた２以上の折り目を有し、前記切り起こしの一部を前記スリットから外方に突出させたことを特徴とする請求項１記載の梱包箱。
【発明の詳細な説明】
【０００１】
【発明の属する技術分野】
本発明は、電化製品等の梱包箱に関する。
【０００２】
【従来の技術】
従来、段ボール紙で電子レンジ等の電化製品を梱包する場合、段ボール箱の上面や底面には、段ボール箱の形状を維持するためのステープル（金属の留め金）等を打ち込んでいた。そのため、使用後に段ボール紙を回収する際に、ステープルを取り外す必要があったが、この際に、段ボール紙が破損したり、ステープルを取り外す作業に多くの時間を要したりしていた。
【０００３】
また、片手で扱えるような比較的軽いものを梱包する方法においては、環境資源の節約のため、ステープルを使用せずに、段ボール紙のみで梱包する方法が提案されている（例えば、特許文献１参照）。
【０００４】
【特許文献１】
特開平７−６１４３９号公報（第４頁、図４）
【０００５】
【発明が解決しようとする課題】
しかしながら、被梱包物を収容した段ボール紙製の内箱を筒状の梱包材に収容する梱包箱では、電化製品のように重い製品を梱包して梱包箱の外側を持ち挙げる際、傾けると内箱が摺動して落下する可能性あり、この摺動を防止するためには相応な強度の係止手段を必要とする。この係止手段として粘着テープを用いる場合には、梱包後に開梱しようとしても、梱包材から粘着テープを剥がす際に梱包箱の表皮が破れ、再び使用できなくなる虞があった。また、特許文献１に記載のように把手などの係止手段を別体として内箱に取り付け、梱包材に設けた穴部から把手を引き出し、互いに係合させて内箱の摺動を防止する方法では、梱包箱作業における把手取り付けの手間がかかることに加え、再利用やリサイクルの際に樹脂製の把手を取り除かなければならなかった。
【０００６】
本発明は上述の事情に鑑みてなされたものであり、従ってその目的は、従来の梱包材に用いられてきたステープル等の金属材及び粘着テープの使用を行うことなく、リサイクル比率を向上させ、しかも梱包及び開梱作業が容易である梱包箱を提供することにある。
【０００７】
【課題を解決するための手段】
上記目的を達成するために、本発明の梱包箱は、４つの壁面から構成され、向かい合う２つの開口面を有する筒状の第１梱包部材及び第２梱包部材とを具備し、前記第１梱包部材は、その内方に被梱包物を収容し、前記第２梱包部材は、その開口面を前記第１梱包部材の開口面に対し直角方向に向けた状態で前記第１梱包部材を前記第２梱包部材の内方に収容することにより被梱包物を内包可能に構成され、前記第１梱包部材又は前記第２梱包部材の少なくとも一方に、互いに摺動することを防止する係止手段を備えたことを特徴とする（請求項１の発明）。
【０００８】
斯かる構成によれば、梱包する際にステープル等を使用しなくても済むため、環境に負荷をかけることがない。また、ステープル等を除去する必要がないため、その際に梱包箱が破損することもなく、梱包部材として繰返し利用することができる。さらに、第１梱包部材及び第２梱包部材共に筒状であるため、型加工も容易であると共に、段ボール紙を無駄なく利用できるので梱包部材の削減に寄与し、環境に対する負荷も一層減らすことができる。
【０００９】
また、請求項１記載のものにおいて、係止手段は、第１梱包部材に少なくとも１つ以上の切り起こし若しくはスリットを形成し、第２梱包部材には前記切り起こし若しくは前記スリットに対応する位置にスリット若しくは切り起こしを形成して、これら切り起こしをスリットに差し込む構成としたことを特徴とする（請求項２の発明）。
斯かる構成によれば、切り起こしとスリットのみによって係止手段を構成しているので、梱包作業自体も段ボール紙の加工も単純化することができる。
【００１０】さらに、請求項１記載のものにおいて、係止手段は、第１梱包部材に形成した１つの切り起こしと、第２梱包部材の前記切り起こしに対応する位置に形成した第１スリット及び第２スリットの２つのスリットとから構成され、前記切り起こしは、前記第１スリットから外方に引き出された後、前記第２スリットから内部に挿入される構成としたことを特徴とする（請求項３の発明）。
斯かる構成によれば、切り起こしと穴部を用いた摺動方向の係止のみならず、切り起こしを緩衝材と第２梱包部材の間に挟み込むため、より確実に摺動するのを防止すると共に、重量の重い製品の梱包にも耐えることができる。
【００１１】
また、請求項１記載のものにおいて、係止手段は、第１梱包部材に形成した切り起こしと、第２梱包部材の前記切り起こしに対応する位置に形成したスリットとから構成され、前記切り起こしは、前記第１梱包部材外方に折り曲げた１つの折り目と、前記第１梱包部材内方に折り曲げた２以上の折り目を有し、前記切り起こしの一部を前記スリットから外方に突出させたことを特徴とする（請求項４の発明）。
斯かる構成によれば、簡単な操作で係止手段を解除状態にすることができ、以って開梱作業を円滑に進めることができる。また、同時に接触部の数が多いため、個々の接触部当たりの負担が軽くなり、切り起こしを破損しにくくすることができる。
【００１２】
【発明の実施の形態】
（第１実施例）
以下に、本発明による梱包箱の第１実施例について図１乃至図７を参照して説明する。
【００１３】
梱包箱１は、図５，６に示すように第１梱包部材たる内側梱包部材２及び第２梱包部材たる外側梱包部材３から構成され、例えば被梱包物たる電子レンジ等の電化製品２０を梱包するものである、まず、図１乃至図４を参照して構成につき説明するに、図１は、内側梱包部材２の全体構成を示す斜視図であり、この図１に示すように内側梱包部材２は、長方形の単層段ボール紙を折り曲げて両端を重ねて接着剤等で接着し、２つの開口面４ａ，４ｂを有した筒状に形成したものであり、上面壁５、下面壁６、右面壁７、左面壁８の４つの壁面から構成されている。また、図２の平面図に示すように上面壁５には、相反する方向を向いている２つの切り起こし１１ａ，１１ｂが形成されている。この切り起こし１１ａ，１１ｂは、後述する図３に示す第２梱包部材たる外側梱包部材３に設けられた２組の第１スリット９ａ，９ｂ及び第２スリット１０ａ，１０ｂと共に内側梱包部材２と外側梱包部材３の摺動を防止する係止手段として機能するもので、詳細は後述する。
【００１４】
しかして、上記切り起こし１１ａ，１１ｂは、図２に示すように上面壁５中央付近にそれぞれの折り目１２ａ，１２ｂを設定し、また開口面４ａ，４ｂの方向にそれぞれ先端部１３ａ，１３ｂを備えると共に、さらに、前記折り目１２ａ，１２ｂと先端部１３ａ，１３ｂとの間に折り目１４ａ，１４ｂが形成されている。なお、これら複数の折り目は、図２では破線で位置を示し、図１では該折り目に沿って若干折り曲げられた状態を実線で示している。また、切り起こし１１ａ，１１ｂは、上記折り目１２ａ，１２ｂ，１４ａ，１４ｂにおいて折り曲げやすく、かつ複数回の折り曲げ行為に耐え得る程度の強度を備えている。
【００１５】
そして、図３には、前記した外側梱包部材３の斜視図を示している。該外側梱包部材３も前記した内側梱包部材２と同様に長方形にあって、上面壁１５、下面壁１６、後面壁１７、前面壁１８の４つの壁面から構成されており、内側梱包部材２を収容可能に内側梱包部材２より僅かに大きな開口面１９ａ，１９ｂが形成され、かつ所謂短手方向に開口して形成されている。従って、内側梱包部材２の開口面４ａ，４ｂに対し、上記外側梱包部材３の開口面１９ａ，１９ｂは、９０度ずれた位置に開口している。
【００１６】
また、図４の平面図に示すように、上面壁１５には前記切り起こし１１ａ，１１ｂと共に係止手段として機能する、例えば中央側の第１スリット９ａ，９ｂと、前後端側の細長い第２スリット１０ａ，１０ｂが２組形成されている。第１スリット９ａ，９ｂは長方形形状をなしており、その長手方向の辺の長さｘは、図２に示す切り起こし１１ａ，１１ｂの幅ｑよりも若干長く、もう一方の辺の長さｙは、切り起こし１１ａ，１１ｂを上面壁１５上方へ取り出すのが容易となる長さに設定してある。また、第１スリット９ａ，９ｂ内には、外側梱包部材３に内側梱包部材２を収容した状態で、その折り目１４ａ，１４ｂ部分が収まる位置に設定してある。
【００１７】
一方、上記第２スリット１０ａ，１０ｂの長手方向の辺の長さｕは、長さｘより短いが図２に示す切り起こし１１ａ，１１ｂの幅ｑと同じもしくはそれよりも僅かに長く形成されており、もう一方の辺は切り起こし１１ａ，１１ｂが差し込める程度に形成している。また、第２スリット１０ａ，１０ｂは、切り起こし１１ａ，１１ｂの先端部１３ａ，１３ｂの先端よりも中央寄りに位置して形成されている。
【００１８】
次に、梱包箱１を用いた電化製品２０の梱包方法につき、主に図５乃至図７を参照して説明する。まず、図５に示すように落下などにより電化製品２０に傷が付いたり、変形したりすることを防止するために、例えば電化製品２０を保護する上下２つの緩衝材２１を取り付けた状態において、開口面４ａから緩衝材２１と電化製品２０を押し込み、一方の開口面４ｂに緩衝材２１の一端が到達し、反対側の開口面４ａに緩衝材２１の他端が収まり、以って、内側梱包部材２内部に収容された状態となる。
【００１９】
次に、２つの切り起こし１１ａ，１１ｂをそれぞれ折り目１２ａ，１２ｂから内側梱包部材２の外側上方へ向けて折り曲げ、また折り目１４ａ，１４ｂに沿って今度は先端部１３ａ，１３ｂを内側下方に折り曲げた後、再び平坦状に伸ばした状態としてから、図５のように一方の開口面１９ｂに右面壁７側から内側梱包部材２を押し入れ、他方の開口面１９ａまで該右面壁７が到達し、一方の開口面１９ｂに達するまで左面壁８が収められることにより、内側梱包部材２が外側梱包部材３内部に収容された状態となる。
【００２０】
この状態から、比較的大きく開口する第１スリット９ａ，９ｂから手指を挿入して折り目１４ａ，１４ｂ部分を引っ張り上げ、切り起こし１１ａ，１１ｂのほぼ全体を上面壁１５上方に引き上げる。次いで、その先端部１３ａ，１３ｂを第２スリット１０ａ，１０ｂにそれぞれ差込み、緩衝材２１と上面壁１５との間に押し込むように挟み込む。この結果、図６の斜視図、及び図６のＡ−Ａ線に沿って切断し矢視方向から見た断面図である図７に示すように内側梱包部材２と外側梱包部材３は、互いに動きが拘束されて確実に固定された状態になる。即ち、内側梱包部材２が、外側梱包部材３の左右の開口面１９ａまたは１９ｂ方向へ摺動しようとしても、切り起こし１１ａ，１１ｂの両側端面が第２スリット１０ａ，１０ｂの内周縁に当接し、その接触部２２ａ，２２ｂにて動きが係止される。このように、内側梱包部材２と外側梱包部材３の摺動は、切り起こし１１ａ，１１ｂと第２スリット１０ａ，１０ｂとの当接により阻止され、所謂係止手段として機能するものである。
【００２１】
このように上記実施例によれば、従来から用いられている金属製のステープルを使用せずに梱包箱１を形成することができるので、ステープルの除去作業に労力を費やすことなく、段ボール紙を再生する過程に進むことができる。同時に、梱包箱１の開梱時にステープルを外すことにより梱包箱１が破損することがないため、再利用をしやすく、梱包後開梱し再び梱包することもできる。
また、内側梱包部材２及び外側梱包部材３共に筒状であるため、長方形筒状に型加工した後の型抜きも簡単にでき、しかも段ボール紙を無駄なく利用できるので環境に対する負荷を減らすことができる。
【００２２】
なお、本発明は上記しかつ図面に示した実施例に限らず、例えば内側梱包部材２及び外側梱包部材３を形成する段ボール紙は、強度を確保する上で必要なときには、各面の壁がそれぞれ多層の段ボール紙によって構成されてもよい。また、第１スリット９ａ，９ｂ，第２スリット１０ａ，１０ｂ，及び切り起こし１１ａ，１１ｂの形状は、内側梱包部材２と外側梱包部材３の摺動を防止できればどんな形状でもよいし、先端部１３ａ，１３ｂを折り曲げ、二重になり厚みを増した先端を第２スリット１０ａ，１０ｂから差込み、内側梱包部材２及び緩衝材２１の間に押し込んで固定してもよく、実施に際して本発明の要旨を逸脱しない範囲で種々変更して実施可能である。
【００２３】
（第２実施例）
図８乃至図１２は本発明の第２実施例を示している。そのうち、図８乃至図１１は、それぞれ上記第１実施例の図２，図４，図６，及び図７相当図であり、上記した第１実施例とは次の点が異なっている。以下、上記第１実施例と同一部分には、同一符号を付して説明を省略し、異なる点のみ説明する。
【００２４】
このものは、使用者が一層容易に梱包及び開梱をできるようにしたもので、図８，９に示すように内側梱包部材２には、上面壁５に形成した２つの切り起こし２３ａ，２３ｂを有し、また外側梱包部材３には上面壁１５に形成した２つのスリット２４ａ，２４ｂを有するなど、基本的構成は上記第１実施例（図２，４）と同じであるが、ただ具体的な係止手段としての形状や位置及び梱包方法において異なる。
【００２５】
即ち、図８に示すように、内側梱包部材２には、２つの切り起こし２３ａ，２３ｂが上面壁５をコ字状に切断して形成されており、切り起こし２３ａ，２３ｂの根元となる折り目２５ａ，２５ｂから先端部２６ａ，２６ｂの間に、それぞれ２つの折り目２７ａ，２７ｂ，２８ａ，２８ｂが形成され、該折り目２５ａ，２５ｂ，２７ａ，２７ｂ，２８ａ，２８ｂにおいて切り起こし２３ａ，２３ｂは折り曲げやすく、かつ複数回の折り曲げ行為に耐え得る程度の強度を備えている。
【００２６】
また、図９に示すように、外側梱包部材３には、上面壁１５に２つの長方形状のスリット２４ａ，２４ｂを形成しており、その長手方向の辺の長さｓは図８に示す切り起こし２３ａ，２３ｂの幅ｒよりも若干長く、また短い方の辺の長さｔは図８に示す折り目２５ａ，２５ｂから折り目２８ａ，２８ｂまでの長さｐより短くなっている。
【００２７】
次に、上記構成の梱包箱１の梱包方法につき、主に図１０乃至図１２を参照して説明する。まず、電化製品２０は、緩衝材２１を装着した状態で開口面４ａから内側梱包部材２に収容すると共に、これを外側梱包部材３の開口面１９ｂから内部に収容するまでは、上記第１実施例と同じである。そして、外側梱包部材３のスリット２４ａ，２４ｂから切り起こし２３ａ，２３ｂを引き出し、折り目２５ａ，２５ｂにおいて外方（上方）に向けて折り曲げ、次いで折り目２７ａ，２７ｂ，２８ａ，２８ｂを順に内方（下方）に折り曲げて、図１０の斜視図及び図１１の断面図に示す状態とする。
【００２８】
しかるに、図１１は、図１０のＢ−Ｂ線に沿って切断して示す矢視方向から見た断面図で、この図１１に示すように、折り目２８ａ，２８ｂから先端部２６ａ，２６ｂまでの部分が２枚重ねの厚肉となり、これが緩衝材２１に当接すると共に、スリット２４ａ，２４ｂの長さｔは、折り目２５ａ，２５ｂから折り目２８ａ，２８ｂまでの長さｐより短くなっているため（ｔ＜ｐ）、折り目２７ａ，２７ｂ部分がスリット２４ａ，２４ｂから上面壁１５上方に若干突出した状態となる。この状態において、折り目２８ａ，２８ｂ部分はスリット２４ａ，２４ｂの範囲内に接触した状態に収まっている。しかして、内側梱包部材２が外側梱包部材３の開口面１９ａまたは１９ｂのいずれか一方に対して摺動しようとする場合には、切り起こし２３ａ，２３ｂの両側端面の一方がスリット２４ａ，２４ｂの内周縁と当接することになり、図中に示す複数の接触部２９ａ，２９ｂにて係止され、その摺動を防止する係止手段として機能する。
【００２９】
一方、図１２は、上記梱包後に開梱しようとする際の要部の拡大断面図で、この場合、一方の切り起こし２３ｂ部分を示しており、以下この切り起こし２３ｂ側についてのみ説明する。まず、使用者は上方に突出した状態にある折り目２７ｂ付近を上方から押す等の操作を行うと、該折り目２７ｂは平坦状に伸び、折り目２８ｂ部分の先端が緩衝材２１と上面壁１５との間に挟み込まれ、切り起こし２３ｂはほぼ平坦状に保護され、スリット２４ｂとの当接（接触部２９ｂ）が解除されて、所謂係止手段が解除される。このような操作は、他方の切り起こし２３ａ側でも同様に行われる。しかして、図１２は、このような解除状態を示しており、内側梱包部材２は外側梱包部材３に対して摺動可能となり、外側梱包部材３を抑えたまま、右面壁７又は左面壁８を押すことにより内側梱包部材２を摺動させて取り出すことができる。そして、内側梱包部材２を抑えた状態で電化製品２０を緩衝材２１と共に押し出し、開梱することができる。
【００３０】
このように上記実施例によれば、簡単な操作で係止手段を解除することができ、以って開梱作業を円滑に進め、該作業に要する時間を短縮することができる。また、図１０に示すように摺動を阻止する接触部２９ａ，２９ｂは複数個所に位置するため、接触部２９ａ，２９ｂ１箇所当たりの負担が軽くなり、切り起こし２３ａ，２３ｂを破損しにくくすることができる。
【００３１】
なお、本発明は上記しかつ図面に示した実施例に限らず、例えば第２実施例における切り起こし２３ａ，２３ｂの折り目の数は、梱包した状態においてスリット２４ａ，２４ｂから上面壁１５に突出して係止手段として機能すれば二つ以上の数でもよいし、また、互いに対応する切り起こし２３ａ，２３ｂ及びスリット２４ａ，２４ｂの組み合わせである係止手段の数は２つ以上であってもよいし、逆に１つでも可能で、このことは第１実施例も含め梱包箱の大きさ等に応じた適宜の数の係止手段を採用すればよいなど、実施に際して本発明の要旨を逸脱しない範囲で種々変更して実施可能である。
【００３２】
【発明の効果】
以上述べたように、本発明によれば、ステープル等を使用せずに段ボール紙のみによって製品を梱包するため、ステープル等を取り外す作業に手間がかからないうえ、段ボール紙が破損することを大幅に軽減するため再利用が容易になり、最終的に環境にかかる負荷を減らすことができるという著効を奏する梱包箱を提供できる。
【図面の簡単な説明】
【図１】本発明の第１実施例を示す内側梱包部材の斜視図
【図２】内側梱包部材の上面壁を示す平面図
【図３】外側梱包部材の斜視図
【図４】外側梱包部材の上面壁を示す平面図
【図５】梱包する過程を示す斜視図
【図６】本発明の第１実施例を示す梱包した状態の斜視図
【図７】図６のＡ−Ａ線に沿って切断し矢視方向から見た断面図
【図８】図２相当図
【図９】図４相当図
【図１０】図６相当図
【図１１】図１０のＢ−Ｂ線に沿って切断し矢視方向から見た断面図
【図１２】係止手段を解除した状態の要部拡大断面図
【符号の説明】
１  梱包箱
２  内側梱包部材（第１梱包部材）
３  外側梱包部材（第２梱包部材）
９ａ，９ｂ  第１スリット
１０ａ，１０ｂ  第２スリット
１１ａ，１１ｂ，２３ａ，２３ｂ  切り起こし
１２ａ，１２ｂ，１４ａ，１４ｂ，２５ａ，２５ｂ，２７ａ，２７ｂ，２８ａ，２８ｂ  折り目
１３ａ，１３ｂ，２６ａ，２６ｂ  先端部
２２ａ，２２ｂ，２９ａ，２９ｂ  接触部
２４ａ，２４ｂ  スリット
【図１】
2004338757.tif 000003
【図２】
2004338757.tif 000004
【図３】
2004338757.tif 000005
【図４】
2004338757.tif 000006
【図５】
2004338757.tif 000007
【図６】
2004338757.tif 000008
【図７】
2004338757.tif 000009
【図８】
2004338757.tif 000010
【図９】
2004338757.tif 000011
【図１０】
2004338757.tif 000012
【図１１】
2004338757.tif 000013
【図１２】
2004338757.tif 000014